(57)【要約】【課題】  美麗な外観を有する取っ手付き集積包装体を提供する。【解決手段】  複数の物品からなる集積体４とそれに熱収縮装着されたオーバーラップフィルム５とを有する集積包装体２と、粘着面を介して前記フィルムの表面に貼り付けられた取っ手片３と、を有し、集積体４の横方向に隣接する物品Ａ１，Ａ２，Ａ３の上方部の間には、それぞれ横空隙が存在し、取っ手片３が、物品が隣接された被隣接物品Ａ２の上面側に配置され且つ集積包装体２の上面に貼り付けられた本体片部６と、本体片部６の両端部から折れ曲がって延設され且つ集積包装体２の側面に貼り付けられた一対の連結片部７と、一対の連結片部７の端部から延設され且つ集積包装体２の側面に貼り付けられた一対の保持片部８と、を有し、連結片部７の最小横幅が本体片部６及び保持片部８の各最大横幅よりも小さい。【選択図】  図１
2016068960.tif 000002
【特許請求の範囲】
【請求項１】
物品が奥行方向に１個以上で横方向に３個以上隣接した集合物からなる集積体と前記集積体の周囲に熱収縮装着されたオーバーラップフィルムとを有する集積包装体と、裏面が粘着面とされ且つ前記集積包装体のオーバーラップフィルムの表面に前記粘着面を介して貼り付けられた取っ手片と、を有する取っ手付き集積包装体において、
前記集積体の、横方向に隣接する物品の上方部の間には、それぞれ横空隙が存在し、
前記取っ手片が、横方向両側にそれぞれ物品が隣接された被隣接物品の上面側において奥行方向に配置され、且つ前記集積包装体の上面に貼り付けられた帯状の本体片部と、前記本体片部の両端部から延設され、且つ本体片部に対して折れ曲がり前記集積包装体の側面に貼り付けられた一対の連結片部と、前記一対の連結片部の端部から延設され、且つ前記集積包装体の側面に貼り付けられた一対の保持片部と、を有し、
前記連結片部の最小横幅が前記本体片部の最大横幅及び保持片部の最大横幅よりも小さい、取っ手付き集積包装体。
【請求項２】
前記オーバーラップフィルムが、物品の上方部間の前記それぞれの横空隙に対応してその横空隙側に凹んだ高収縮領域を有し、
前記連結片部が、前記オーバーラップフィルムの高収縮領域の間に配置されている、請求項１に記載の取っ手付き集積包装体。
【請求項３】
前記集積体が、奥行方向に２個以上隣接し且つ横方向に３個以上隣接した集合物からなり、前記奥行方向に隣接する物品の上方部の間に、縦空隙が存在し、
前記本体片部が  前記縦空隙に被さる被覆部を有し、
前記本体片部の被覆部の面内に、本体片部の両側縁に沿って延びるミシン目線が設けられている、請求項１または２に記載の取っ手付き集積包装体。
【請求項４】
前記オーバーラップフィルムの面内には、前記本体片部の両側縁に沿って延びるミシン目線が設けられている、請求項１乃至３のいずれか一項に記載の取っ手付き集積包装体。
【請求項５】
帯状の本体片部と前記本体片部の両端部から延設された一対の連結片部と前記一対の連結片部の端部から延設された一対の保持片部とを有し、前記連結片部の最小横幅が前記本体片部の最大横幅及び保持片部の最大横幅よりも小さい取っ手片であって、裏面が粘着面とされた取っ手片を準備する工程、
前記取っ手片を、前記粘着面を介して、熱収縮前のオーバーラップフィルムの表面に貼り付ける貼付工程、
物品が奥行方向に１個以上で横方向に３個以上隣接した集合物からなる集積体の周囲に前記取っ手付きオーバーラップフィルムを被せ、加熱することにより、前記集積体にオーバーラップフィルムを熱収縮装着する装着工程と、を有し、
前記装着工程において、本体片部が、横方向両側にそれぞれ物品が隣接された被隣接物品の上面側に配置され、且つ連結片部及び保持片部が前記被隣接物品の側面側に配置されるように、前記集積体の周囲に前記オーバーラップフィルムを被せる、取っ手付き集積包装体の製造方法。
【請求項６】
前記保持片部の、前記連結片部とは反対側の縁が、前記連結片部側に凹んだ凹状縁を有する、請求項５に記載の取っ手付き集積包装体の製造方法。
【発明の詳細な説明】
【技術分野】
【０００１】
本発明は、複数個の物品をオーバーラップフィルムにより一括包装した集積包装体に、取っ手片を取り付けた取っ手付き集積包装体などに関する。
【背景技術】
【０００２】
缶や瓶などの物品の複数個を一纏めにしてオーバーラップフィルムで被包し、周囲から加熱することにより、前記フィルムを収縮させて得られる集積包装体が知られている。この集積包装体は、円筒形状の物品や凹凸のある物品であってもその複数個が緊密に包装され、外観も良好となる。  
このような集積包装体を持ち運びやすくするため、手提げ用の取っ手片を集積包装体に取り付けた取っ手付き集積包装体が知られている。例えば、特許文献１には、複数個の物品からなる集積体とその周囲に熱収縮装着されたオーバーラップフィルムとを有する集積包装体の上面（この上面はオーバーラップフィルムで構成されている）に、帯状の手提げ用バンドを貼り付けた取っ手付き集積包装体が開示されている。しかしながら、特許文献１の取っ手付き集積包装体は、手提げ用バンドが集積包装体の上面のみに貼り付けられているので、それを手で提げたときの集積包装体の自重により、バンドが集積包装体から剥がれる、又は、バンドが貼り付けられている箇所の近傍にてオーバーラップフィルムが伸びるおそれがある。
【０００３】
また、特許文献２には、複数個の物品からなる集積体とその周囲に熱収縮装着されたオーバーラップフィルムとを有する集積包装体の上面（この上面はオーバーラップフィルムで構成されている）に、帯状の取っ手が配置され、その取っ手の両端部が幅広に形成された接合部位とされ、その接合部位の裏面に粘着面が形成され、接合部位が前記集積包装体の側面へと折れ曲がって接着されている取っ手付き集積包装体が開示されている。かかる取っ手付き集積包装体は、取っ手の両端部が集積包装体の側面に接着されているので、それを手で提げたとき、取っ手が剥がれることを防止できる。しかしながら、特許文献２の取っ手付き集積包装体は、取っ手の接合部位が幅広であるため、その接合部位の一部が集積包装体の側面に接着せずに浮き上がった箇所が生じるという問題点がある。詳しくは、複数個の物品からなる集積体は、その外形が直方体状ではなく、隣接する物品の間に、空隙を有する。この集積体の周囲にオーバーラップフィルムを被せて加熱すると集積包装体が得られるが、その集積包装体は、オーバーラップフィルムのうち前記空隙に対応する領域が大きく熱収縮して空隙側に凹んでいる。つまり、前記空隙に対応する領域は、他の領域（特に容器の表面に密着する領域）に比して比較的熱収縮率が大きい高収縮領域となっている。その集積包装体に、接合部位が幅広である特許文献１の取っ手を貼り付けた際、前記接合部位の一部が前記オーバーラップフィルムの凹んだ領域（高収縮領域）に接着せずに浮き上がり、その接合部位の一部（浮き上がった箇所）の粘着面が露出する。このように粘着面が露出すると、取っ手付き集積包装体の保管・運搬中に、その粘着面に粉塵などが付着し、取っ手付き集積包装体の外観が損なわれるという問題点がある。さらに、取っ手の接合部位がオーバーラップフィルムと部分的に非接着となるため、取っ手が剥がれ易くなる傾向となるおそれがある。
【０００４】
さらに、取っ手付き集積包装体の製造方法は、大別して、（１）オーバーラップフィルムを集積体に被せて熱収縮装着することにより集積包装体を得た後、その集積包装体に取っ手を貼り付けることにより取っ手付き集積包装体を得る方法、（２）オーバーラップフィルムに予め取っ手を貼り付けることにより取っ手付きオーバーラップフィルムを得た後、その取っ手付きオーバーラップフィルムを集積体に被せて熱収縮装着することにより取っ手付き集積包装体を得る方法が知られている。
特許文献２の取っ手付き集積包装体を前記（２）の方法で製造した場合には、次のような問題点がある。取っ手は熱収縮性を有さないので、取っ手が貼り付けられた部分のオーバーラップフィルムは、実質的に熱収縮しなくなる。そして、特許文献２のように幅広の接合部位を有する取っ手を貼り付けたオーバーラップフィルムを集積体に被せて熱収縮させた際、集積体の空隙に前記幅広の接合部位が被さり、オーバーラップフィルムの収縮力によって取っ手の接合部位が無秩序に変形する又はオーバーラップフィルムに皺が生じ、外観的に好ましくない取っ手付き集積包装体が得られるという問題点がある。
【先行技術文献】
【特許文献】
【０００５】
【特許文献１】実開昭６０−１１５８６８号公報
【特許文献２】特開２００４−３１５０３１号公報
【発明の概要】
【発明が解決しようとする課題】
【０００６】
本発明の目的は、美麗な外観を有する取っ手付き集積包装体及び取っ手付き集積包装体の製造方法を提供することである。
【課題を解決するための手段】
【０００７】
本発明は、物品が奥行方向に１個以上で横方向に３個以上隣接した集合物からなる集積体と前記集積体の周囲に熱収縮装着されたオーバーラップフィルムとを有する集積包装体と、裏面が粘着面とされ且つ前記集積包装体のオーバーラップフィルムの表面に前記粘着面を介して貼り付けられた取っ手片と、を有する取っ手付き集積包装体であって、前記集積体の横方向に隣接する物品の上方部の間には、それぞれ横空隙が存在し、前記取っ手片が、横方向両側にそれぞれ物品が隣接された被隣接物品の上面側において奥行方向に配置され、且つ前記集積包装体の上面に貼り付けられた帯状の本体片部と、前記本体片部の両端部から延設され、且つ本体片部に対して折れ曲がり前記集積包装体の側面に貼り付けられた一対の連結片部と、前記一対の連結片部の端部から延設され、且つ前記集積包装体の側面に貼り付けられた一対の保持片部と、を有し、前記連結片部の最小横幅が前記本体片部の最大横幅及び保持片部の最大横幅よりも小さい。
【０００８】
本発明の好ましい取っ手付き集積包装体は、前記オーバーラップフィルムが、物品の上方部間の前記それぞれの横空隙に対応してその横空隙側に凹んだ高収縮領域を有し、前記連結片部が、前記オーバーラップフィルムの高収縮領域の間に配置されている。
本発明の好ましい取っ手付き集積包装体は、前記集積体が、奥行方向に２個以上隣接し且つ横方向に３個以上隣接した集合物からなり、前記奥行方向に隣接する物品の上方部の間に、縦空隙が存在し、前記本体片部が  前記縦空隙に被さる被覆部を有し、前記本体片部の被覆部の面内に、本体片部の両側縁に沿って延びるミシン目線が設けられている。
本発明の好ましい取っ手付き集積包装体は、前記オーバーラップフィルムの面内には、前記本体片部の両側縁に沿って延びるミシン目線が設けられている。
【０００９】
本発明の別の局面によれば、取っ手付き集積包装体の製造方法を提供する。
本発明の取っ手付き集積包装体の製造方法は、帯状の本体片部と前記本体片部の両端部から延設された一対の連結片部と前記一対の連結片部の端部から延設された一対の保持片部とを有し、前記連結片部の最小横幅が前記本体片部の最大横幅及び保持片部の最大横幅よりも小さい取っ手片であって、裏面が粘着面とされた取っ手片を準備する工程、前記取っ手片を、前記粘着面を介して、熱収縮前のオーバーラップフィルムの表面に貼り付ける貼付工程、物品が奥行方向に１個以上で横方向に３個以上隣接した集合物からなる集積体の周囲に前記取っ手付きオーバーラップフィルムを被せ、加熱することにより、前記集積体にオーバーラップフィルムを熱収縮装着する装着工程と、を有し、前記装着工程において、本体片部が、横方向両側にそれぞれ物品が隣接された被隣接物品の上面側に配置され、且つ連結片部及び保持片部が前記被隣接物品の側面側に配置されるように、前記集積体の周囲に前記オーバーラップフィルムを被せる。
【００１０】
本発明の好ましい取っ手付き集積包装体の製造方法は、前記保持片部の、前記連結片部とは反対側の縁が、前記連結片部側に凹んだ凹状縁を有する。
【発明の効果】
【００１１】
本発明の取っ手付き集積包装体は、取っ手片の粘着面に粉塵などが付着し難いので、美麗な外観を有する。
また、本発明の製造方法によれば、３次元曲面状の綺麗な高収縮領域を形成でき、さらに、取っ手片の粘着面に粉塵などが付着し難いので、美麗な外観を有する取っ手付き集積包装体を得ることができる。
【図面の簡単な説明】
【００１２】
【図１】本発明の第１実施形態に係る取っ手付き集積包装体の斜視図。
【図２】同取っ手付き集積包装体を上方から見た平面図。
【図３】同取っ手付き集積包装体を第１側面から見た正面図。
【図４】図２のＩＶ−ＩＶ線で切断した断面図。
【図５】図２のＶ−Ｖ線で切断した縦断面図。
【図６】取っ手付き集積包装体の高収縮領域及び連結片部の周辺部分の参考拡大斜視図。
【図７】（ａ）は、集積体を上方から見た平面図、（ｂ）は、集積体を第１側面から見た正面図。
【図８】オーバーラップフィルムの平面図。
【図９】集積包装体の斜視図。
【図１０】取っ手片の平面図。
【図１１】図１０のＸＩ−ＸＩ線で切断した断面図。
【図１２】取っ手付き集積包装体の使用状態を示す斜視図。
【図１３】取っ手付き集積包装体の製造工程を示す斜視図。
【図１４】本発明の第２実施形態に係る取っ手付き集積包装体の斜視図。
【図１５】本発明の第３実施形態に係る取っ手付き集積包装体の斜視図。
【図１６】本発明の第４実施形態に係る取っ手付き集積包装体の斜視図。
【図１７】変形例に係る取っ手片の平面図。
【発明を実施するための形態】
【００１３】
以下、本発明の実施形態について図面を参照しながら説明する。
ただし、本明細書において、集積体及び集積包装体の「奥行方向」及び「横方向」は、上方から集積体及び集積包装体を見て、その上面内において直交する方向をいう。また、取っ手片の本体片部の「奥行方向」及び「横方向」は、取っ手片が集積包装体に貼り付けられた状態を基準にして、集積包装体の奥行方向及び横方向とそれぞれ同じである。
また、各図において、集積体（各物品）がオーバーラップフィルムに被さっている場合、その被さっている箇所は、本来、破線で示すべきところ、ミシン目線との混同を避けるため、便宜上、一点鎖線で示している。
【００１４】
図１乃至図６において、本発明の取っ手付き集積包装体１は、集積包装体２と取っ手片３とを有する。
まず、集積包装体２及び取っ手片３をそれぞれ説明した後、本発明の取っ手付き集積包装体１及びその製造方法を説明する。
【００１５】
［集積包装体］
集積包装体２は、複数個の物品が一纏めとなった集積体４と、前記集積体４の周囲に熱収縮装着されたオーバーラップフィルム５と、を有する。
前記集積体４は、図７に示すように、物品が奥行方向に１個以上で横方向に３個以上隣接した集合物からなり、好ましくは、物品が奥行方向に２個以上で横方向に３個以上隣接した集合物からなる。図示例では、集積体４は、物品が奥行方向に２個且つ横方向に３個の隣接した、合計６個の物品Ａ１乃至Ａ６からなる集合物である。
物品としては、特に限定されず、任意の内容物が充填された金属製容器、合成樹脂製容器、ガラス製容器、陶器製容器などが挙げられる。前記内容物は、特に限定されず、酒類、清涼飲料などの飲料；調味料；缶詰食品、ゼリーなどの食品；シャンプー、リンス、コンディショナー、洗剤などのトイレタリー製品；化粧品；薬品などが挙げられる。
物品の外形は、集積体４としたときに隣接する物品の上方部の間に空隙が生じる形状であれば特に限定されない。例えば、物品の外形は、図示したように略円柱状である。略円柱状の外形を有する物品としては、例えば、缶ビール、缶コーヒーなどの缶入り飲料、缶詰類が挙げられる。ただし、略円柱状は、円柱状のみならず、楕円柱状を含む意味である。また、物品の外形は、例えば、下方部が略円柱状で且つ上方部がそれよりも小径な略円柱状、下方部が略円柱状で且つ上方部がその下方部の直径よりも対角線長さが同じ又は小さい略直方体状、下方部が略直方体状で且つ上方部がその下方部の上面の対角線長さよりも小さい略円柱状などの組み合わせ形状でもよい。前記下方部が略円柱状で且つ上方部がそれよりも小径な略円柱状の組み合わせ形状の外形を有する物品としては、例えば、ボトル型容器入り飲料などが挙げられる。
【００１６】
前記複数の物品が隣接して一纏めになった集積体４は、隣接する物品の上方部の間に、隙間を有する。すなわち、集積体４において、横方向に隣接する物品の上方部の間には、集積体４の側面から見て、空隙が生じ、奥行方向に隣接する物品の上方部の間にも、集積体４の上面から見て、空隙が生じる。以下、用語を区別するために、横方向に隣接する物品の上方部の間に生じる空隙を横空隙といい、奥行方向に隣接する物品の上方部の間に生じる空隙を縦空隙という。
【００１７】
図７のように６個の物品Ａ１乃至Ａ６からなる集積体４を例に採って説明する。説明上、各物品の区別が必要である場合には、第１物品、第２物品などのように序数詞を付す場合がある。
図７において、集積体４は、奥行方向１列目の横方向に、第１物品Ａ１、第２物品Ａ２、第３物品Ａ３が隣接して並んでおり、奥行方向２列目の横方向に、第４物品Ａ４、第５物品Ａ５、第６物品Ａ６が隣接して並んでいる。また、第１物品Ａ１と第４物品Ａ４、第２物品Ａ２と第５物品Ａ５、及び、第３物品Ａ３と第６物品Ａ６は、奥行方向に隣接して並んでいる。
ここで、第２物品Ａ２及び第５物品Ａ５は、何れも、横方向両側にそれぞれ物品が隣接されている物品である。本明細書において、横方向両側にそれぞれ物品が隣接されている物品を「被隣接物品」という場合がある。すなわち、第２物品Ａ２の横方向一方側には第１物品Ａ１が隣接され、第２物品Ａ２の横方向他方側には第３物品Ａ３が隣接されているので、第２物品Ａ２は、被隣接物品である。第５物品Ａ５の横方向一方側には第４物品Ａ４が隣接され、第５物品Ａ５の横方向他方側には第６物品Ａ６が隣接されているので、第５物品Ａ５は、被隣接物品である。
【００１８】
集積体４を第１側面（第１側面は、横方向に隣接した集合物の側面である）から見て、横方向に並んだ第１物品Ａ１と第２物品Ａ２の各上方部の間及び第２物品Ａ２と第３物品Ａ３の各上方部の間には、各物品Ａ１，Ａ２，Ａ３の外形に従い横空隙Ｘが存在する。なお、図示例の各物品は全体的に略円柱状であるため、前記横空隙Ｘは、第１物品Ａ１と第２物品Ａ２及び第２物品Ａ２と第３物品Ａ３の高さ方向全体に亘って延在している。
同様に、集積体４を第２側面（第２側面は、第１側面と反対側の側面である）から見て、横方向に並んだ第４物品Ａ４と第５物品Ａ５の各上方部の間及び第５物品Ａ５と第６物品Ａ６の各上方部の間には、各物品Ａ４，Ａ５，Ａ６の外形に従い横空隙Ｘを有し、その横空隙Ｘは、高さ方向全体に亘って延在している。
なお、集積体４の第３側面（第３側面は、第１側面とは９０度の関係にある側面である）から見て、奥行方向に並んだ第１物品Ａ１と第４物品Ａ４の各上方部の間、及び、集積体４の第４側面（第４側面は、第３側面と反対側の側面である）から見て、奥行方向に並んだ第３物品Ａ３と第６物品Ａ６の各上方部の間にも、各物品Ａ１，Ａ３，Ａ４，Ａ６の外形に従い横空隙Ｘを有し、その横空隙Ｘは、高さ方向に亘って延在している。
集積体４を上方から見て、奥行方向に並んだ第１物品Ａ１と第４物品Ａ４の各上方部の間、第２物品Ａ２と第５物品Ａ５の各上方部の間、及び第３物品Ａ３と第６物品Ａ６の各上方部の間には、各物品Ａ１乃至Ａ６の外形に従い縦空隙Ｙを有する。なお、図示例の各物品は全体的に略円柱状であるため、前記縦空隙Ｙは、各物品Ａ１乃至Ａ６の高さ方向全体に亘って延在している。
【００１９】
オーバーラップフィルム５は、各物品が隣接した集積体４の各物品が離れないようにその隣接状態を維持するために使用される。すなわち、オーバーラップフィルム５は集積体４の周囲に熱収縮装着される。
オーバーラップフィルム５は、集積体４を被包する前には（熱収縮前には）、図８に示すように矩形状に形成されている。
【００２０】
オーバーラップフィルム５は、柔軟性及び熱収縮性を有するフィルムであれば特に限定されず、ポリエチレンフィルムやポリプロピレンフィルムなどのポリオレフィン系フィルム、ポリ塩化ビニル系フィルムなどが挙げられる。また、特許文献２に開示された生分解性のフィルム（例えばポリ乳酸系重合体からなるフィルム）を用いてもよい。オーバーラップフィルム５は、無色透明、有色透明又は不透明の何れでもよいが、集積体４を外部から明瞭に視認できることから無色透明なオーバーラップフィルム５を用いることが好ましい。なお、熱収縮性は、所要温度（例えば、８０℃〜１５０℃）に加熱されたときに収縮する性質をいう。
オーバーラップフィルム５の熱収縮率は、第１方向（集積体の奥行方向に相当）に４０％以上、好ましくは５０％以上、より好ましくは６０％以上であり、第２方向（集積体の横方向に相当）に１０％以上、好ましくは２０％以上、より好ましくは３０％以上である。
ただし、前記熱収縮率は、加熱前のフィルムの長さ（元の長さ）と、フィルムを１３０℃の温水中に１０秒間浸漬した後の基材の長さ（浸漬後の長さ）の割合であり、下記式に代入して求められる。
式：熱収縮率（％）＝［｛（第１方向（又は第２方向）の元の長さ）−（第１方向（又は第２方向）の浸漬後の長さ）｝／（第１方向（又は第２方向）の元の長さ）］×１００。
オーバーラップフィルム５の厚みは、特に限定されず、例えば、８μｍ〜１００μｍであり、好ましくは１０μｍ〜６０μｍであり、より好ましくは１０μｍ〜３０μｍ程度である。
【００２１】
オーバーラップフィルム５の面内には、ミシン目線５１，５１が形成されている。このミシン目線５１は、オーバーラップフィルム５の中央部において第１方向に直線状に延び、第２方向に所要間隔を開けて一対形成されている。
本明細書において、ミシン目線は、ミシン針の縫い跡の如くフィルムの表裏面に貫通する複数の貫通孔が所定間隔を開けて形成された、貫通孔の集合である。かかるミシン目線は、隣接する貫通孔の間に、非貫通部が存在する。前記非貫通部は、貫通処理が成されていないフィルム部分とも言える。１つの貫通孔の正面視形状は、細長い直線状、針穴状（針穴状は、打ち抜き略円形状又は略楕円形状などを含む）などが挙げられる。図示例のミシン目線の貫通孔の形状は、細長い直線状とされている。
ミシン目線５１の貫通孔の長さは、特に限定されないが、例えば、０．８ｍｍ〜４ｍｍであり、好ましくは、１ｍｍ〜３ｍｍである。ミシン目線５１の非貫通部の長さは、特に限定されないが、例えば、０．８ｍｍ〜３ｍｍであり、好ましくは、１ｍｍ〜２ｍｍである。
また、必要に応じて、前記ミシン目線５１，５１の途中に、そのミシン目線５１に重ねて又はミシン目線５１の近傍において第１方向に延びる切込み線５２，５２が形成されていてもよい。切込み線５２，５２は、フィルムの表裏面に貫通する細長い貫通孔であり、ミシン目線の１つの貫通孔の長さが非常に長く形成されたものとも言える。
以下、オーバーラップフィルム５に形成された一対のミシン目線の一方を第１ラップミシン目線といい、他方を第２ラップミシン目線といい、両者を総称して、ラップミシン目線という。
【００２２】
前記オーバーラップフィルム５の第１方向が集積体４の奥行方向となるように、オーバーラップフィルム５を集積体４の周囲に巻き、オーバーラップフィルム５の第１側端部５ａと第２側端部５ｂを重ね合わせてスリーブ状に形成した後、加熱することにより、集積体４の周囲にオーバーラップフィルム５が熱収縮装着された集積包装体２が得られる（図９参照）。なお、熱収縮により、比較的長い貫通孔である切込み線５２の周囲が引っ張られるので、切込み線５２が形成された箇所には、涙目状の穴が生じる。この穴は、集積体４の縦空隙Ｙに連通している。
図９の集積包装体２は、オーバーラップフィルム５の両側に開口が形成されているが、このような開口を有していてもオーバーラップフィルム５によって各物品が互いに離れないように集積体４の形態が維持されている。このように集積体４の周囲にスリーブ状に形成したオーバーラップフィルム５の該スリーブ内に集積体４を入れて加熱した場合、熱収縮後のオーバーラップフィルム５は、集積体４の上面、第１側面、第２側面及び底面を完全に覆い且つ集積体４の第３側面及び第４側面の周縁を覆いつつそれらの面の中央部に対応して開口が生じる。
もっとも、オーバーラップフィルム５は、集積体４を完全に被包していてもよい。例えば、オーバーラップフィルム５を集積体４の周囲に巻き、オーバーラップフィルム５の第１側端部５ａと第２側端部５ｂを重ね合わせて熱シールしてスリーブ状に形成すると共に、そのスリーブの両端の開口を塞ぐべく両開口端部（オーバーラップフィルム５の第３側端部とオーバーラップフィルム５の第４側端部）を熱シールすることにより、オーバーラップフィルム５を内部に集積体４を包み込んだ袋状に形成する。その後、オーバーラップフィルム５を加熱することにより、集積体４の周囲がオーバーラップフィルム５にて完全に被包された集積包装体２が得られる。このようにオーバーラップフィルム５が開口を有さない集積包装体２を用いてもよい。
【００２３】
前記集積包装体２において、ラップミシン目線５１は、集積体４の上面に配置され、集積体４の奥行方向に延在されている。
具体的には、第１ラップミシン目線５１が第１物品Ａ１の上方部と第２物品Ａ２の上方部の境界又はその境界から僅かに第１物品Ａ１寄りに配置され、且つ、第２ラップミシン目線５１が第２物品Ａ２の上方部と第３物品Ａ３の上方部の境界又はその境界から僅かに第３物品Ａ３寄りに配置されている。集積体４の奥行方向に延びる第１ラップミシン目線５１は、同様に、第４物品Ａ４の上方部と第５物品Ａ５の上方部の境界又はその境界から僅かに第４物品Ａ４寄りに配置され、且つ、第５物品Ａ５の上方部と第６物品Ａ６の上方部の境界又はその境界から僅かに第６物品Ａ６寄りに配置されている。
また、熱収縮性のオーバーラップフィルム５の性質上、集積体４の横空隙Ｘに対応する箇所がその周辺よりも大きく熱収縮するので、熱収縮装着されたオーバーラップフィルム５には、横空隙Ｘに対応してその横空隙Ｘ側に３次元曲面状に凹んだ高収縮領域５Ｈが形成されている。なお、前記集積体４の横空隙Ｘの間は被隣接物品Ａ２，Ａ５の側面が存在するので、熱収縮装着されたオーバーラップフィルム５の２つの高収縮領域５Ｈの間は、前記被隣接物品Ａ２，Ａ５の側面に対応しており、その部分には、高収縮領域５Ｈよりも小さく熱収縮した低収縮領域５Ｌが形成されている。
【００２４】
［取っ手片］
取っ手片３は、通常、図１１に示すように、裏面に粘着剤層３２が積層された枚葉状の１枚のシート材３１を所定形状に切り取ることによって形成できる。粘着剤層３２の表面が粘着面を構成する。
取っ手片３を形成するシート材３１は、柔軟性を有するものであれば特に限定されないが、剛性を有するものが好ましく、さらに、剛性を有し且つ熱収縮性を実質的に有さないものがより好ましい。
前記シート材３１としては、例えば、ポリ乳酸系重合体、脂肪族ポリエステル（芳香族脂肪族ポリエステルを含む）、軟質ポリ塩化ビニル、ポリエチレン、エチレン−酢酸ビニル共重合体等のエチレン系又は酢酸ビニル系重合体、ポリブタジエン等のエラストマー及びこれらの混合物などの熱可塑性樹脂からなるシートが挙げられる。
取っ手片３の厚みは、特に限定されないが、オーバーラップフィルム５の厚みよりも大きいことが好ましい。例えば、取っ手片３の厚みは、１０μｍ〜１００μｍであり、好ましくは、１５μｍ〜７０μｍであり、より好ましくは、２０μｍ〜５０μｍ程度である。
【００２５】
取っ手片３は、図１０及び図１１に示すように、帯状の本体片部６と、前記本体片部６の両端部から延設された一対の連結片部７，７と、前記一対の連結片部７，７の端部から延設された一対の保持片部８，８と、を有し、さらに、本体片部６、連結片部７及び保持片部８の裏面は、いずれも粘着面とされている。連結片部７の最小横幅７Ｗは、本体片部６の最大横幅６Ｗ及び保持片部８の最大横幅８Ｗよりも小さい。
前記本体片部６は、集積包装体２の上面に貼り付けられる、奥行方向に延びる帯状の部分である。本体片部６の長さ（本体片部６の両端部間の長さ）は、集積体４の奥行方向の長さと略等しい。
具体的には、本体片部６は、集積体４の縦空隙Ｙに被さる被覆部６１と、被隣接物品Ａ２，Ａ５の上面に被さり且つ被隣接物品Ａ２，Ａ５の上面の外形に沿った縁を有する一対の弧状部６２，６２と、を有する。本体片部６には、粘着剤層３２が具備されており、従って、本体片部６（被覆部６１及び弧状部６２，６２）の裏面は、オーバーラップフィルム５に接着可能な粘着面とされている。なお、図１０において、被隣接物品と取っ手片の関係を判り易くするため、被隣接物品Ａ２，Ａ５及びそれによって形成される縦空隙Ｙを二点鎖線で示している。
前記被覆部６１の両側縁は、奥行方向に延びる直線状、奥行方向に延び且つ内側に僅かに凹んだ弧状、又は、奥行方向に延び且つ外側に僅かに膨らんだ弧状に形成されている。図示例では、前記被覆部６１の両側縁は、奥行方向に延び且つ内側に僅かに凹んだ弧状に形成されている。
両側縁が弧状に形成された被覆部６１の横幅は、奥行方向に亘って不均一である。被覆部６１の最大横幅は、本体片部６の最大横幅６Ｗに相当し、それは、物品の上面の直径と略等しいことが好ましいが、集積体４の縦空隙Ｙを完全に覆わない程度で、物品の上面の直径よりも大きくてもよく或いは小さくてもよい。
本明細書において、ある片部の横幅は、横方向の長さをいい、その最大横幅は、その片部の最も大きい箇所の横幅をいい、その最小横幅は、その片部の最も小さい箇所の横幅をいう。なお、ある片部の横幅が奥行方向において均等である場合には、その横幅が最大横幅又は最小横幅となる。
さらに、前記被覆部６１の面内には、本体片部６（被覆部６１）の両側縁に沿って延びる一対のミシン目線６１１，６１１が形成されている。以下、取っ手片３に形成されたミシン目線を、取っ手ミシン目線という。この一対の取っ手ミシン目線６１１，６１１は、取っ手片６（被覆部６１）の両側縁に沿って形成されていればよく、例えば、図１０のように、弧状に湾曲していてもよく、また、特に図示しないが、両側縁と平行に形成されていてもよい。この取っ手ミシン目線６１１，６１１の貫通孔の長さは、特に限定されないが、例えば、０．５ｍｍ〜３ｍｍであり、好ましくは、１ｍｍ〜２ｍｍである。取っ手ミシン目線６１１，６１１の非貫通部の長さは、特に限定されないが、例えば、０．５ｍｍ〜３ｍｍであり、好ましくは、１ｍｍ〜２ｍｍである。オーバーラップフィルム５よりも剛性の大きい取っ手片３は、オーバーラップフィルム５に比べて硬いが、取っ手ミシン目線６１１，６１１を形成することにより、その線６１１に沿って取っ手片３が折れ曲がり易くなる。
【００２６】
前記一対の連結片部７，７は、本体片部６の奥行方向両端部からそれぞれ延設されている。連結片部７，７は、それぞれ本体片部６と保持片部８の間に介在した部分であり、両片部６，８を連結している部分である。一対の連結片部７，７には、粘着剤層３２が具備されており、従って、連結片部７の裏面は、オーバーラップフィルム５に接着可能な粘着面とされている。
連結片部７，７の両側縁は、奥行方向に延びる直線状でもよく、又は、弧状でもよい。図示例では、連結片部７，７の両側縁は、本体片部６及び保持片部８に近づくに従って外側へ湾曲した弧状に形成されている。
連結片部７，７の最小横幅７Ｗは、前記本体片部６の最大横幅６Ｗよりも小さい。さらに、連結片部７，７の最小横幅７Ｗは、後述する保持片部８，８の最大横幅８Ｗよりも小さい。
連結片部７，７の最小横幅７Ｗは、物品に応じて適宜設定できるが、好ましくは、５ｍｍ〜３０ｍｍであり、より好ましくは１０ｍｍ〜２５ｍｍである。連結片部７，７の最小横幅７Ｗが余りに小さいと、その最小横幅７Ｗの部分で連結片部７，７が破断するおそれがある。連結片部７，７の最小横幅７Ｗが余りに大きいと、取っ手片３を集積包装体２に貼り付けた際、連結片部７，７が低収縮領域５Ｌからはみ出して、連結片部７，７の粘着面がオーバーラップフィルム５に貼り付かず、粘着面の一部が露出するおそれがある。
【００２７】
連結片部７，７の最小横幅７Ｗと本体片部６の最大横幅６Ｗの比（連結片部７，７の最小横幅７Ｗ／本体片部６の最大横幅６Ｗ）は、特に限定されないが、例えば、０．２〜０．８であり、好ましくは、０．４〜０．６である。
連結片部７，７の最小横幅７Ｗと保持片部８，８の最大横幅８Ｗの比（連結片部７，７の最小横幅７Ｗ／保持片部８，８の最大横幅８Ｗ）は、特に限定されないが、例えば、０．１５〜０．７５であり、好ましくは、０．２〜０．５５である。
【００２８】
前記一対の保持片部８，８は、連結片部７，７の端部からそれぞれ延設されている。一対の保持片部８，８には、粘着剤層３２が具備されており、従って、保持片部８，８の裏面は、オーバーラップフィルム５に接着可能な粘着面とされている。前記一対の保持片部８，８は、本体片部６を集積包装体２の上面に貼り付けた際、それぞれ本体片部６に対して折れ曲がって集積包装体２の側面に貼り付けられる部分である。保持片部８，８は、集積包装体２の上面に貼り付けられた本体片部６と協働して取っ手片３のオーバーラップフィルム５に対する一体性を向上させ、取っ手付き集積包装体１を持ち上げた際に、本体片部６が貼り付けられている箇所の近傍におけるオーバーラップフィルム５の伸びを防止し、集積包装体２が持ち手から落下することを防止する。
一対の保持片部８，８は、横方向に延びる帯状に形成されている。好ましくは、一対の保持片部８，８は、それぞれ連結片部７側に凹んだ凹状縁８ｃを有する。
図示例では、保持片部８，８の端縁（保持片部８の、連結片部７とは反対側の縁）は、連結片部７側に凹んだ弧状に形成されており、その端縁が凹状縁８ｃに相当する。なお、保持片部８自体も、全体的に連結片部７側に凹んだ湾曲帯状に形成されている。
一対の保持片部８，８の両側縁は、奥行方向に直線状に延びており、従って、保持片部８，８の横幅は、奥行方向に亘って均等である。もっとも、保持片部８，８の両側縁が内側に凹む又は外側に膨らむ弧状に形成されていてもよい（図示せず）。
保持片部８，８の最大横幅８Ｗは、連結片部７の最小横幅７Ｗよりも大きい。保持片部８，８の最大横幅８Ｗは、本体片部６の最大横幅６Ｗと同じでもよく、又は、小さく若しくは大きくてもよい。保持片部８，８の横幅を比較的大きくすることにより、取っ手片３とオーバーラップフィルム５の一体性を高めることができることから、保持片部８，８は、本体片部６の最大横幅６Ｗと同じ又はそれよりも大きい最大横幅８Ｗを有するように形成されていることが好ましい。
【００２９】
なお、必要に応じて、取っ手片３には、所望のデザインが印刷などの方法によって表示されていてもよい。
【００３０】
［取っ手付き集積包装体］
本発明の取っ手付き集積包装体１は、図１乃至図６に示すように、上記集積包装体２と、粘着面を介して集積包装体２に貼り付けられた上記取っ手片３と、を有する。
取っ手片３の本体片部６は、その両側縁をラップミシン目線５１に一致させ又はラップミシン目線５１の近傍に位置させ且つ一対の弧状部６２，６２の縁を被隣接物品Ａ２，Ａ５（第２物品Ａ２及び第５物品Ａ５）の上面の外形に沿わせつつ、被隣接物品Ａ２，Ａ５の上面側において奥行方向に配置され、集積包装体２のオーバーラップフィルム５の上面に粘着面を介して貼り付けられている。従って、本体片部６の被覆部６１が集積体４の縦空隙Ｙの上方側を覆い、オーバーラップフィルム５のラップミシン目線５１が本体片部６の両側縁に沿っている。
取っ手片３の一対の連結片部７，７及び保持片部８，８は、連結片部７，７をオーバーラップフィルム５の高収縮領域５Ｈの間に配置されるようにしつつ、本体片部６に対して約９０度に折り曲げられ、集積包装体２のオーバーラップフィルム５の側面に粘着面を介して貼り付けられている。詳しくは、一方の連結片部７，７は、集積包装体２の第１側面側に折り曲げられ、オーバーラップフィルム５の低収縮領域５Ｌ（オーバーラップフィルム５の高収縮領域５Ｈの間の領域）に粘着面を介して貼り付けられ、この一方の連結片部７，７に繋がる保持片部８，８は、その高収縮領域５Ｈを越えた集積包装体２のオーバーラップフィルム５の第１側面に粘着面を介して貼り付けられている。他方の連結片部７，７も同様に、集積包装体２の第２側面側においてオーバーラップフィルム５の低収縮領域５Ｌに貼り付けられ、これに繋がる保持片部８，８も同様に、その高収縮領域５Ｈを越えた集積包装体２のオーバーラップフィルム５の第２側面に貼り付けられている。
【００３１】
本発明の取っ手付き集積包装体１は、図１２に示すように、一対のラップミシン目線５１，５１及び切込み線５２が形成された箇所にそれぞれ指を入れることにより、ラップミシン目線５１に沿ってオーバーラップフィルム５が破断する。集積包装体２のオーバーラップフィルム５には、一対の切込み線５２に起因する細長い穴がそれぞれ形成され、その穴は、集積体４の縦空隙Ｙに連通しているので、その穴にそれぞれの指を容易に差し入れることができ、ラップミシン目線５１に沿ってオーバーラップフィルム５を容易に破断させることができる。
差し入れた２つの指にて取っ手片３の本体片部６を把持することにより、取っ手付き集積包装体１を容易に持ち上げ、運搬することできる。前記本体片部６には一対の取っ手ミシン目線６１１，６１１が形成されているので、前記オーバーラップフィルム５を指にて破断させたときに、本体片部６の両側縁と一対の取っ手ミシン目線６１１，６１１との間の部分が、縦空隙Ｙ側へと折れ曲がる。このため、本体片部６の側縁が指の腹に当たらず、持ち手が痛みを感じ難くなる。さらに、本体片部６の両側縁は、内側に凹んだ弧状に形成されているので、２つの指にて取っ手片３を把持しやすい。
本発明においては、連結片部７が本体片部６及び保持片部８よりも幅狭に形成されているので、その連結片部７を集積包装体２のオーバーラップフィルム５の高収縮領域５Ｈ，５Ｈの間に配置することにより、連結片部７の粘着面の略全体が、オーバーラップフィルム５の低収縮領域５Ｌに貼り付いた取っ手付き集積包装体１を構成できる。かかる取っ手付き集積包装体１は、連結片部７の粘着面が露出しないので、粘着面に粉塵などが付着し難く、美麗な外観を有する。さらに、本体片部６の弧状部６２の縁が被隣接物品Ａ２，Ａ５の上面の外形に沿っているので、本体片部６の粘着面も外部に露出せず、より美麗な外観を有する。
また、保持片部８が比較的幅広に形成され且つその保持片部８が集積包装体２の側面に貼り付けられているので、本体片部６を通じて持ち手に加わる取っ手付き集積包装体１の重量が持ち手の広い範囲に分散され（持ち手の単位面積当たりに加わる荷重が小さくなる）、痛みを感じ難くなる。さらに、本体片部６は集積包装体２に貼り付けられているので、オーバーラップフィルム５が不用意に破れることを防止できる。
また、連結片部７が比較的幅広に形成されているため、前記本体片部６と協働して、取っ手片３とオーバーラップフィルム５の一体性が向上し、取っ手付き集積包装体１を持ち上げた際に、本体片部６が貼り付けられている箇所の近傍におけるオーバーラップフィルム５の伸びや破れを防止し、集積包装体２が持ち手から落下することを防止できる。
【００３２】
［取っ手付き集積包装体の製造方法］
本発明の取っ手付き集積包装体１は、（１）集積包装体２を形成した後、所定位置に取っ手片３を貼り付ける方法、（２）オーバーラップフィルム５に予め取っ手片３を貼り付けることにより取っ手付きオーバーラップフィルム５を得た後、その取っ手付きオーバーラップフィルム５を集積体４に被せて熱収縮装着する方法、などによって得ることができる。
以下、（２）の製造方法を詳述する。
【００３３】
（集積体、オーバーラップフィルム及び取っ手片の準備）
上記集積体４、オーバーラップフィルム５及び取っ手片３をそれぞれ準備する。これらの構成は、上記［集積包装体］及び［取っ手片］の欄で説明したので、それを参照されたい。
ただし、機械的且つ連続的に取っ手付き集積包装体１を製造する場合には、長尺状のオーバーラップフィルムが用いられる。長尺状のオーバーラップフィルムは、概念的には、上記矩形状のオーバーラップフィルム５の複数がその第１方向に繋がったフィルムである。その長尺状のオーバーラップフィルムを所定長さに切断することにより、１つの集積包装体２を構成するオーバーラップフィルム５が得られる。
また、長尺状のオーバーラップフィルムには、第１方向に所定間隔を開けて、一対のラップミシン目線５１，５１が形成されている。
【００３４】
（取っ手片の貼付工程）
前記取っ手片３を粘着面を介して熱収縮前のオーバーラップフィルムの表面に貼り付ける。長尺状のオーバーラップフィルム５９を用いた場合には、図１３のように、長尺状のオーバーラップフィルム５９の第１方向に所定間隔を開けて取っ手片３を貼り付ける。この際、オーバーラップフィルム５９の一対のラップミシン目線５１，５１の間に取っ手片３が配置されるように、取っ手片３を位置合わせして貼り付けていく。取っ手片３を貼り付けた後、長尺状のオーバーラップフィルム５９を切断することにより、１枚の取っ手付きオーバーラップフィルム５が得られる。
なお、長尺状のオーバーラップフィルム５９に取っ手片３を貼りつけた後に、一対のラップミシン目線５１，５１を形成し、その後、長尺状のオーバーラップフィルム５９を切断することにより、１枚の取っ手付きオーバーラップフィルム５としてもよい。
【００３５】
（取っ手付きオーバーラップフィルムの装着工程）
前記取っ手付きオーバーラップフィルム５を、本体片部６が被隣接物品Ａ２，Ａ５の上面側に配置され且つ連結片部７及び保持片部８が被隣接物品Ａ２，Ａ５の側面側に配置されるように位置合わせしつつ、集積体４の周囲に被せた後、取っ手付きオーバーラップフィルム５を加熱する。具体的には、一対の弧状部６２，６２の縁が被隣接物品Ａ２，Ａ５（第２物品Ａ２及び第５物品Ａ５）の上面の外形に略一致し、且つ、連結片部７が集積体４の横空隙Ｘの間（被隣接物品Ａ２，Ａ５の側面）に略一致するように予め位置合わせして、取っ手付きオーバーラップフィルム５の第１側端部５ａを集積体４の底面に配置し、そのオーバーラップフィルム５を集積体４の第２側面から上面、さらに第１側面へと巻き付け、取っ手付きオーバーラップフィルム５の第２側端部５ｂを第１側端部５ａに重ね合わせる。このようにして、集積体４の周囲をスリーブ状の取っ手付きオーバーラップフィルム５にて被包する。そして、このスリーブ状の取っ手付きオーバーラップフィルム５を加熱することにより、オーバーラップフィルム５が集積体４の奥行方向、高さ方向及び横方向において収縮し、図１乃至図６に示すような取っ手付き集積包装体１が得られる。なお、フィルムの材質にもよるが、重ね合わされた第１側端部５ａ及び第２側端部５ｂは、前記オーバーラップフィルム５を熱収縮させる際の加熱によって互いに接着する。ただし、その際の加熱によって、第１側端部５ａ及び第２側端部５ｂが接着しない場合には、前記スリーブ状に形成した後に両部を別途加熱して接着するか、或いは、両部を接着剤などによって接着する。
【００３６】
上記製造方法は、本体片部６及び保持片部８よりも幅狭に形成された連結片部７を集積体４の横空隙Ｘの間に配置された状態で、取っ手付きオーバーラップフィルム５を熱収縮させるので、その横空隙Ｘに対応するオーバーラップフィルム部分の熱収縮が阻害され難くなり、その部分が横空隙Ｘ側に良好に縮まって、３次元曲面状に凹んだ高収縮領域５Ｈが形成される。このようにして得られた取っ手付き集積包装体１は、取っ手片３の連結片部７の周辺において、皺などを生じることなく、オーバーラップフィルム５の一部分からなる３次元曲面状の綺麗な高収縮領域５Ｈが形成されるので、美麗な外観を有する。
また、連結片部７とは反対側の保持片部８の縁が、連結片部７側に凹んだ凹状縁８ｃとされているので、集積体４の周囲に被せた取っ手付きオーバーラップフィルム５を熱収縮させる際に、オーバーラップフィルム５が位置ずれすることを防止できる。詳しくは、取っ手付きオーバーラップフィルム５を集積体４に被せるときには、上記のように取っ手片３と集積体４を所定の位置に合わせているが、オーバーラップフィルム５が収縮した際には、その位置がずれるおそれがある。この点、保持片部８に連結片部７側に凹んだ凹状縁８ｃが形成されていることにより、オーバーラップフィルム５が熱収縮し始めたときに、その一対の保持片部８，８の凹状縁８ｃ，８ｃが被隣接物品Ａ２，Ａ５の外形に係合し、オーバーラップフィルム５が位置ずれすることを防止できる。このため、上記美麗な外観を有する取っ手付き集積包装体１を確実に得ることができる。
【００３７】
［他の実施形態］
本発明の取っ手付き集積包装体は、上記実施形態に限られず、本発明の意図する範囲で、様々に設計変更できる。以下に他の実施形態を説明するが、その説明において、上記実施形態と同様の構成及び効果に関する説明は、（それを説明したものとして）省略し、用語及び符号をそのまま援用する。
【００３８】
上記実施形態においては、奥行方向に２個の物品が隣接し且つ横方向に３個の物品が隣接した集積体４を図示したが、例えば、図１４に示すように、奥行方向に４個の物品Ａが隣接し且つ横方向に３個の物品Ａが隣接した集積体４と、それに熱収縮装着されたオーバーラップフィルム３と、を有する集積包装体２と、その集積包装体２の上記実施形態と同様な位置に貼り付けられた取っ手片３と、から構成された取っ手付き集積包装体１でもよく、さらに、図１５に示すように、奥行方向に２個の物品Ａが隣接し且つ横方向に４個の物品Ａが隣接した集積体４と、それに熱収縮装着されたオーバーラップフィルム３と、を有する集積包装体２と、その集積包装体２の上記実施形態と同様な位置に貼り付けられた取っ手片３と、から構成された取っ手付き集積包装体１でもよい。なお、図１５に示すように、横方向に４個以上の偶数個の物品が隣接した集積体４については、横方向中央部に被隣接物品が存在しないので、取っ手片３は、重量バランスの観点から、横方向中央部に近い被隣接物品に対応して貼付することが好ましい。また、横方向に５個以上の奇数個の物品が隣接した集積体４については、取っ手片３は、重量バランスの観点から、横方向中央部の被隣接物品に対応して貼付することが好ましい。
【００３９】
さらに、上記実施形態においては、略円柱状の物品の取っ手付き集積包装体１を図示したが、例えば、図１６に示すように、下方部が略円柱状で且つ上方部がそれよりも小径な略円柱状の物品Ａが隣接した集積体４をオーバーラップフィルム５で被包した集積包装体２を用いてもよい。
【００４０】
また、上記実施形態において、取っ手片３の保持片部８は、その端縁が凹状縁８ｃに形成されているが、凹状縁８ｃは、保持片８の端縁に形成される場合に限られず、例えば、図１７に示すように、保持片８の面内に、連結片部７側に凹んだ弧状縁を有する穴部８１を形成してもよい。この場合、その穴部８１を構成する前記弧状縁が、保持片部８の凹状縁８ｃに相当する。このような保持片部８を有する取っ手片３を用いても、取っ手付き集積包装体１を製造する過程でオーバーラップフィルム５が熱収縮し始めたときに、その一対の保持片部８の凹状縁８ｃが被隣接物品の外形に係合し、オーバーラップフィルム５の位置ずれを防止できる。
【符号の説明】
【００４１】
１  取っ手付き集積包装体
２  集積包装体
３  取っ手片
４  集積体
５  オーバーラップフィルム
５Ｈ  高収縮領域
５１  オーバーラップフィルムのミシン目線
６  本体片部
６１  被覆部
６２  弧状部
６１１  取っ手片のミシン目線
７  連結片部
８  保持片部
Ａ，Ａ１，Ａ２，Ａ３，Ａ４，Ａ５，Ａ６  物品
Ｘ  横空隙
Ｙ  縦空隙
【図１】
2016068960.tif 000003
【図２】
2016068960.tif 000004
【図３】
2016068960.tif 000005
【図４】
2016068960.tif 000006
【図５】
2016068960.tif 000007
【図６】
2016068960.tif 000008
【図７】
2016068960.tif 000009
【図８】
2016068960.tif 000010
【図９】
2016068960.tif 000011
【図１０】
2016068960.tif 000012
【図１１】
2016068960.tif 000013
【図１２】
2016068960.tif 000014
【図１３】
2016068960.tif 000015
【図１４】
2016068960.tif 000016
【図１５】
2016068960.tif 000017
【図１６】
2016068960.tif 000018
【図１７】
2016068960.tif 000019